(57)【要約】      （修正有）【課題】永久磁石を磁気の方向（極性）を変えずに機械的に振動させることができる磁石用振動発生機を提供する。【解決手段】前部に起振部１１を有するとともに後部が持ち手１２として構成された本体１３と、本体１３の起振部１１の前方に着脱自在に設置され、前後面のうち一方の面側がＳ極、他方の面側がＮ極となるチップ状のネオジム磁石１４と、を備え、チップ状のネオジム磁石１４は、前面側の極性を維持したまま、本体１３の起振部１１により機械的に振動させられるものである。【選択図】図１
0003200513.tif 000002
【実用新案登録請求の範囲】
【請求項１】
前部に起振部を有するとともに後部が持ち手として構成された本体と、
前記本体の前記起振部の前方に着脱自在に設置され、前後面のうち一方の面側がＳ極、他方の面側がＮ極となるチップ状の磁石と、を備え、
前記チップ状の磁石は、前面側の極性を維持したまま、前記本体の前記起振部により機械的に振動させられることを特徴とする磁石用振動発生機。
【請求項２】
前記起振部は、
モーターと、
前記モーターの回転軸に固定された不平衡おもりと、
前記モーターと前記不平衡おもりとを覆う弾性材で成る内カバーと、
を備えることを特徴とする請求項１記載の磁石用振動発生機。
【請求項３】
前記チップ状の磁石は、前記不平衡おもりの前方に前記内カバーを挟んで配置され、その外側が前記内カバーを覆う弾性材で成る外カバーにて覆われていることを特徴とする請求項２記載の磁石用振動発生機。
【請求項４】
前記内カバー及び前記外カバーは、いずれもシリコーンゴムにより構成されていることを特徴とする請求項３記載の磁石用振動発生機。
【請求項５】
前記不平衡おもりは、非磁性材で構成されていることを特徴とする請求項２〜４のいずれか一項に記載の磁石用振動発生機。
【請求項６】
前記チップ状の磁石は、ネオジム磁石で構成されていることを特徴とする請求項１〜５のいずれか一項に記載の磁石用振動発生機。
【考案の詳細な説明】
【技術分野】
【０００１】
本考案は、永久磁石を磁気の方向（極性）を変えずに機械的に振動させることができる磁石用振動発生機に関する。
【背景技術】
【０００２】
磁気治療で使われる磁場は、二種類に分けられる。ひとつは定常磁場、もうひとつは変動磁場である。定常磁場とは、磁場が時間によって変化せず、常に一定の状態にある磁場をいう。固定された永久磁石は、定常磁場の代表である。
【０００３】
定常磁気治療は、永久磁石のＳ極を身体に向けて行う施術と、永久磁石のＮ極を身体に向けて行う施術があり、それぞれ次のような治療効果があるとされる。
【０００４】
Ｓ極を身体に向けた場合
・コラーゲンや脂肪細胞が配向する現象が見出され、痩身効果がある。
・筋肉痛や疲労の回復が促進される。
・デトックス（detox）効果がある。
【０００５】
Ｎ極を身体に向けた場合
・不足している栄養素などの吸収が促進される。
・薬などの成分の吸収が良くなる。
【０００６】
一方、変動磁場は、時間とともに磁気の強さや方向が変化する磁場をいう。変動磁場には、例えば電磁石に家庭用の電流を流してつくった「交番磁場」がある。「交番磁場」とは、Ｎ極とＳ極が一定のリズムで方向が逆になる磁場をいう。
【０００７】
変動磁場による主な治療効果としては次のようなものが知られている。
・血行促進作用
・骨癒合作用
【０００８】
ところで、磁気治療効果が得られる磁気製品として、例えば非磁性材で構成される複数のカプセルに、それぞれ軸線を挟む一方の側がＳ極、他方の側がＮ極となる円柱形磁石を軸線回りに回転自在に収納し、これらカプセルをチェーンで接続した磁気ネックレスがある。この技術においては、非磁性材で構成されるカプセル内で円柱形磁石が磁気吸着されることなく回転できるので、円柱形磁石から発生しカプセルを透過する磁力だけでなく、円柱形磁石がカプセルの中で回転する度に磁気誘導現象を起こしてカプセルの外側に新たな磁力線を生じさせることができる。このため、磁気治療効果を高めることができるとされている（例えば、特許文献１参照）。
【先行技術文献】
【特許文献】
【０００９】
【特許文献１】特開２００３−２３５６２０号公報（図１〜図４）
【考案の概要】
【考案が解決しようとする課題】
【００１０】
このように、特許文献１のものは、円柱形磁石から発生しカプセルを透過する磁力（定常磁場）、及び円柱形磁石がカプセルの中で回転することによりカプセルの外側に新たに生じる磁力線（変動磁場）を用いて磁気治療を行うものである。しかしながら、定常磁場による磁気治療効果と変動磁場による磁気治療効果とは、既述したように異なるものであり、治療目的が異なる。したがって、定常磁場による磁気治療効果、つまり磁気の方向（極性）を変えずに治療を行った場合の磁気治療効果を高め得るものではなかった。
【００１１】
ところで、本考案者は、永久磁石のＳ極又はＮ極を身体に向けた状態（定常磁場の状態）から、磁気の方向（極性）を変えずに永久磁石を手に持って振り、変動磁場とすることで、定常磁場の場合に得られる磁気治療効果を高めることができ、またこの効果は、磁気の方向（極性）を変えずに永久磁石を手に持って振りながら更に機械的に振動を加え、変動磁場とすることで、一層高めることができるという、これまで知られていなかった現象が起こることを発見している。
【００１２】
本考案は、前記のような課題と知見とに鑑み、永久磁石を磁気の方向（極性）を変えずに機械的に振動させることができる磁石用振動発生機を提供しようとするものである。
【課題を解決するための手段】
【００１３】
本考案に係る磁石用振動発生機は、前部に起振部を有するとともに後部が持ち手として構成された本体と、本体の起振部の前方に着脱自在に設置され、前後面のうち一方の面側がＳ極、他方の面側がＮ極となるチップ状の磁石と、を備え、チップ状の磁石は、前面側の極性を維持したまま、本体の起振部により機械的に振動させられるものである。
【００１４】
また、本考案に係る磁石用振動発生機においては、起振部は、モーターと、モーターの回転軸に固定された不平衡おもりと、モーターと不平衡おもりとを覆う弾性材で成る内カバーと、を備えることが好ましい。
【００１５】
また、本考案に係る磁石用振動発生機においては、チップ状の磁石は、不平衡おもりの前方に内カバーを挟んで配置され、その外側が内カバーを覆う弾性材で成る外カバーにて覆われていることが好ましい。
【００１６】
また、本考案に係る磁石用振動発生機においては、内カバー及び外カバーは、いずれもシリコーンゴムにより構成されていることが好ましい。
【００１７】
また、本考案に係る磁石用振動発生機においては、不平衡おもりは、非磁性材で構成されていることが好ましい。
【００１８】
また、本考案に係る磁石用振動発生機においては、チップ状の磁石は、ネオジム磁石で構成されていることが好ましい。
【考案の効果】
【００１９】
本考案に係る磁石用振動発生機は、チップ状の磁石を、前面側の極性を維持したまま、本体の起振部により機械的に振動させることができるので、定常磁場の場合に得られるような磁気治療効果を高めることができる。
【図面の簡単な説明】
【００２０】
【図１】本考案の実施の形態に係る磁石用振動発生機の要部の構成を示す縦断面図である。
【図２】本考案の実施の形態に係る磁石用振動発生機の外観を示す斜視図である。
【考案を実施するための形態】
【００２１】
図１は本考案の実施の形態に係る磁石用振動発生機に棒磁石が収容されている状態を示す縦断面図である。図２は本考案の実施の形態に係る磁石用振動発生機の外観を示す斜視図である。
図１及び図２に示すように、本実施の形態の磁石用振動発生機１０は、前部に起振部１１を有するとともに後部が持ち手１２として構成された本体１３と、本体１３の起振部１１の前方に着脱自在に設置され、前後面のうち一方の面側がＳ極、他方の面側がＮ極となるチップ状の磁石すなわちチップ状のネオジム磁石１４とを備えている。本体１３の内部には、図示しない電池が収納され、本体１３の側面には、電源のスイッチ１５が設けられている。チップ状のネオジム磁石１４は、前面側の極性（例えばＳ極）を維持したまま、本体１３の起振部１１により機械的に振動させられるようになっている。
【００２２】
これを更に詳述する。起振部１１は、図１のようにモーター１６と、モーター１６の回転軸１７に固定された不平衡おもり１８と、モーター１６と不平衡おもり１８とを覆う弾性材で成る内カバー１９とを備えている。このように、不平衡おもり１８を用いて機械的に振動を発生させる起振部１１とすることで、例えば圧電振動子を用いた場合と比較して耐久性及び信頼性の確保が容易となる。
【００２３】
また、ここでは不平衡おもり１８を、非磁性材、例えば非磁性ステンレス鋼で構成している。これにより、不平衡おもり１８が磁路となるのを抑制し、チップ状のネオジム磁石１４の磁力線ができるだけ外に出るようにしている。
【００２４】
チップ状のネオジム磁石１４は、数ある磁石の中で最も高い磁気エネルギーを持っており、厚みが１ｍｍ以上有れば磁気治療に必要な磁気特性が得られる。チップ状のネオジム磁石１４は、厚みを厚くする程、定常磁場の状態における磁気治療効果が高まる。しかし、一方で、チップ状のネオジム磁石１４は、厚みを厚くしすぎると、不平衡おもり１８の前方位置からズレ易くなり、振動が伝わり難くなって変動磁場の状態における磁気治療効果がさほど得られなくなる。これらを勘案すると、チップ状のネオジム磁石１４は、厚みを１．０〜５．５ｍｍの範囲に設定することが望ましい。ちなみに、ここでは厚さ３ｍｍのチップ状のネオジム磁石１４を使用している。
これにより、本実施の形態の磁石用振動発生機１０は、磁石そのものを薄形で軽いものとすることができ、起振部１１の負荷を軽減することができて、起振部１１の小型化が図れ、延いては装置全体としての小型軽量化が図れる。また、チップ状のネオジム磁石１４には、Ｓ極側の面にＳの文字、Ｎ極側の面にＮの文字がそれぞれ刻印されていて、これらの文字によってＳ極とＮ極とを識別できるようになっている。
【００２５】
チップ状のネオジム磁石１４は、不平衡おもり１８の前方に内カバー１９を挟んで配置され、その外側が内カバー１９を覆う弾性材で成る外カバー２１にて覆われている。これにより、チップ状のネオジム磁石１４の取り付け、取り外しが容易となり、Ｎ極とＳ極の向きの転換設定が容易となる。なお、内カバー１９及び外カバー２１は、ここではいずれもシリコーンゴムにより構成されており、人の健康に対して安全である。
また、これらのうち、外カバー２１は、厚みを１〜３ｍｍの範囲に設定されている。外カバー２１の厚みの下限値を１ｍｍとしたのは、チップ状のネオジム磁石１４の固定に必要な厚みが１ｍｍ以上であり、それより薄いと、チップ状のネオジム磁石１４を不平衡おもり１８の前方位置に保持できなくなるからである。外カバー２１の厚みの上限値を３ｍｍとしたのは、それより厚いと、チップ状のネオジム磁石１４の磁力線が外に出る際の障害となる影響の方が大きくなるためである。
【００２６】
以上の構成を有する本実施の形態の磁石用振動発生機１０は、使用に際し、まず外カバー２１を外し、チップ状のネオジム磁石１４を取り出す。次いで、狙いとする磁気治療効果が得られるようチップ状のネオジム磁石１４の極性（Ｓ極又はＮ極）を選択し、選択した極性が前面にくるように、チップ状のネオジム磁石１４を不平衡おもり１８の前方に内カバー１９を挟んで配置し、その外側を外カバー２１にて再度覆う。
【００２７】
磁気治療は、本体１３の持ち手１２を持ち、チップ状のネオジム磁石１４の前面側の極性（Ｓ極又はＮ極）を身体に向けた状態（定常磁場の状態）から、磁気の方向（極性）を変えずに磁石用振動発生機１０を振ることで、チップ状のネオジム磁石１４を実質的に手で振る状態を作り出し、変動磁場とする。これによって、定常磁場の場合に得られる磁気治療効果を高めることができる。
また、このようにして磁気の方向（極性）を変えずにチップ状のネオジム磁石１４を手で振りながら、電源のスイッチ１５をオンし、起振部１１を駆動して、チップ状のネオジム磁石１４に機械的に振動を加える。これによって、定常磁場の場合に得られる磁気治療効果を一層高めることができる。
【００２８】
このように、本実施の形態の磁石用振動発生機１０においては、チップ状のネオジム磁石１４を、前面側の極性を維持したまま、手で振ることにより得られる磁気治療効果と、本体１３の起振部１１により機械的に振動を加えることによる得られる磁気治療効果との相乗効果が得られる。
【符号の説明】
【００２９】
１０  磁石用振動発生機、１１  起振部、１２  持ち手、１３  本体、１４  チップ状のネオジム磁石（チップ状の磁石）、１５  電源のスイッチ、１６  モーター、１７  回転軸、１８  不平衡おもり、１９  内カバー、２１  外カバー。
【図１】
0003200513.tif 000003
【図２】
0003200513.tif 000004